(57)【特許請求の範囲】
【請求項１】
ＵＲＬ及び金額情報がコード化されたコード表示が施された広告媒体と、
前記コード表示を読み取るコード読取手段と、前記コード読取手段での読み取り回数毎に、前記金額情報に基づく課金額を累積した累積課金額情報を記憶手段に格納する累積課金額情報格納手段と、前記記憶手段に格納された累積課金額情報の累積課金額が、予め設定された基準金額に達したか否かを判定する判定手段とを有する携帯電話機と、
からなることを特徴とする携帯電話機を利用した課金システム。
【請求項２】
前記携帯電話機が、前記判定手段の判定で、予め設定された基準金額に達したと判定された場合に、前記累積課金額情報の送信先情報を表示手段に表示させる手段を有することを特徴とする請求項１記載の携帯電話機を利用した課金システム。
【請求項３】
前記携帯電話機が、前記判定手段の判定で、予め設定された基準金額に達したと判定された場合に、前記累積課金額情報を予め設定された送信先に送信する手段を有することを特徴とする請求項１記載の携帯電話機を利用した課金システム。
【請求項４】
携帯電話機を用いて、広告媒体に施されたコード表示の読み取りを行う毎に、予め設定された課金額を累積した累積課金額情報を記憶手段に格納させ、その累積課金額が、予め設定された基準金額に達した場合に、前記累積金額情報を一括して所定のサイトに送信できるようにした携帯電話機を利用した課金方法であって、
前記携帯電話機のコード読取手段で、広告媒体に施されたＵＲＬ及び金額情報がコード化されたコード表示を読み取るステップと、
前記携帯電話機で前記コード表示を読み取る毎に、前記コード表示にコード化されている金額情報に基づく課金額を記憶手段に累積させて累積課金額情報として格納させるステップと、
前記記憶手段に格納された累積課金額情報の累積課金額が、予め記憶手段に登録されている基準金額に達したか否かを判定するステップと、
からなることを特徴とする携帯電話機を利用した課金方法。
【請求項５】
前記判定で基準金額に達したと判定された場合に、前記携帯電話機の表示手段に対して、前記累積課金額情報の送信先情報を表示させるステップを有することを特徴とする請求項４記載の携帯電話機を利用した課金方法。
【請求項６】
前記判定で基準金額に達したと判定された場合に、前記累積課金額情報を予め設定された送信先に送信させるステップを有することを特徴とする請求項４記載の携帯電話機を利用した課金方法。
【請求項７】
広告媒体に施されたコード表示を読み取るコード読取手段と、
前記コード読取手段で読み取ったコード表示の読み取り回数毎に、前記コード表示にコード化されている金額情報に基づく課金額を累積した累積課金額情報を記憶手段に格納する累積課金額情報格納手段と、
前記記憶手段に格納された累積課金額情報の累積課金額が、予め設定された基準金額に達したか否かを判定する判定手段と、
を有することを特徴とする携帯電話機。
【請求項８】
前記判定手段の判定で、予め設定された基準金額に達したと判定された場合に、前記累積課金額情報の送信先情報を表示手段に表示させる手段を有することを特徴とする請求項７記載の携帯電話機。
【請求項９】
前記判定手段の判定で、予め設定された基準金額に達したと判定された場合に、前記累積課金額情報を予め設定された送信先に送信させる手段を有することを特徴とする請求項７記載の携帯電話機。
【発明の詳細な説明】
【技術分野】
【０００１】
本発明は、携帯電話機によりネットワークを利用して募金の申込みを行うための携帯電話機を利用した課金システム、携帯電話機を利用した課金方法、及び携帯電話機に関する。
【背景技術】
【０００２】
従来、ネットワークを利用した募金方法として、ユーザ端末を用いて個人が行った募金の申し出を、企業が支援する形で肩代わりして支払う募金方法が既に知られている。
【０００３】
このような募金方法では、ネットワークに接続された閲覧者のユーザ端末に募金方法の説明を表示して、募金賛同の意思表示をした閲覧者のユーザ端末のディスプレイに寄付スポンサーを識別する表示をすることで、閲覧者がその識別表示をクリックすることで募金賛同の意思を明確に示し、閲覧者の募金賛同意思表示の回数に応じて所定の金額を寄付スポンサーから寄付先に寄付するものであり、閲覧者には金銭的負担をかけずに募金行為への参加を図ることができるようにしてある。（例えば、特許文献１、２参照）
上記の募金方法は、企業にとっても寄付などの名目で社会貢献を行っていることを閲覧者である消費者に知ってもらうことで、企業イメージの向上を図ることができるという効果があり、様々な業種の企業が参加している。
【０００４】
【特許文献１】特開２００２−２３０２３９号公報
【特許文献２】特開２００２−２６９３００号公報
【０００５】
しかしながら、上記の募金方法では、実際に寄付金の支払いを行うのは企業側だけであって、閲覧者は金銭的負担がなく、閲覧者は単にユーザ端末のディスプレイに表示された識別表示をクリックするだけでよいものの、実際に寄付を行うことで社会貢献を行いたいと思っている閲覧者にとっては、虚しさを感じる者もいると予想される。
つまり、ネットワークを利用した募金方法を利用する閲覧者の中には、その閲覧者自身も企業と共に実際に寄付を行うことで社会貢献をしたいと希望する者もいる。
しかしながら、従来の募金方法では、閲覧者自身が寄付できない仕組みであることから、社会貢献を行っていることを実感して満足感を満たせないという問題があり、実際にどのような方法にすれば閲覧者側も企業と共に寄付ができるような仕組みにできるのかといった具体的な方法が提案されていないといった問題がある。
【０００６】
更に、従来のネットワークを利用した募金方法では、識別表示のクリックにより、閲覧者から募金賛同意思表示があった際に、企業が寄付先に寄付する金額が１回につき１円などの小額である。
そして、企業側だけでなく閲覧者側からも寄付を行えるようにした場合には、例えば従来の寄付金１円に対して、企業側の負担金額を０．７円分、閲覧者側の負担金額をを０．３円分の割合として寄付することも考えられる。
しかしながら、これらの小額の寄付金情報をネットワークでその都度送信した場合には、通信料金代だけで寄付金額がなくなってしまうという矛盾が生じてしまうという問題がある。
【発明の開示】
【発明が解決しようとする課題】
【０００７】
そこで、本発明は、ネットワークを利用した募金に関して、企業側だけでなく閲覧者側からも寄付を行えるようにし、たとえ閲覧者から募金賛同意思表示があった際に寄付先に寄付する金額が小額であって、ネットワークを利用する際の通信料金代で寄付金額がなくなってしまうという矛盾が生じないようにして、閲覧者側の社会貢献に関する満足感を満たせるようにした携帯電話機を利用した課金システム、携帯電話機を利用した課金方法、及び携帯電話機を提供する。
【課題を解決するための手段】
【０００８】
本発明の携帯電話機を利用した課金システムは、ＵＲＬ及び金額情報がコード化されたコード表示が施された広告媒体と、前記コード表示を読み取るコード読取手段と、前記コード読取手段での読み取り回数毎に、前記金額情報に基づく課金額を累積した累積課金額情報を記憶手段に格納する累積課金額情報格納手段と、前記記憶手段に格納された累積課金額情報の累積課金額が、予め設定された基準金額に達したか否かを判定する判定手段とを有する携帯電話機と、からなることを特徴とする。
【０００９】
また、本発明の携帯電話機を利用した課金システムは、前記携帯電話機が、前記判定手段の判定で、予め設定された基準金額に達したと判定された場合に、前記累積課金額情報の送信先情報を表示手段に表示させる手段を有することを特徴とする。
【００１０】
更に、本発明の携帯電話機を利用した課金システムは、前記携帯電話機が、前記判定手段の判定で、予め設定された基準金額に達したと判定された場合に、前記累積課金額情報を予め設定された送信先に送信する手段を有することを特徴とする。
【００１１】
また、本発明の携帯電話機を利用した課金方法は、携帯電話機を用いて、広告媒体に施されたコード表示の読み取りを行う毎に、予め設定された課金額を累積した累積課金額情報を記憶手段に格納させ、その累積課金額が、予め設定された基準金額に達した場合に、前記累積金額情報を一括して所定のサイトに送信できるようにした携帯電話機を利用した課金方法であって、前記携帯電話機のコード読取手段で、広告媒体に施されたＵＲＬ及び金額情報がコード化されたコード表示を読み取るステップと、前記携帯電話機で前記コード表示を読み取る毎に、前記コード表示にコード化されている金額情報に基づく課金額を記憶手段に累積させて累積課金額情報として格納させるステップと、前記記憶手段に格納された累積課金額情報の累積課金額が、予め記憶手段に登録されている基準金額を超えたか否かを判定するステップと、からなることを特徴とする。
【００１２】
更に、本発明の携帯電話機を利用した課金方法は、前記判定で基準金額に達したと判定された場合に、前記携帯電話機の表示手段に対して、前記累積課金額情報の送信先情報を表示させるステップを有することを特徴とする。
【００１３】
また、本発明の携帯電話機を利用した課金方法は、前記判定で基準金額に達したと判定された場合に、前記累積課金額情報を予め設定された送信先に送信させるステップを有することを特徴とする。
【００１４】
また、本発明の携帯電話機は、広告媒体に施されたコード表示を読み取るコード読取手段と、前記コード読取手段で読み取ったコード表示の読み取り回数毎に、前記コード表示にコード化されている金額情報に基づく課金額を累積した累積課金額情報を記憶手段に格納する累積課金額情報格納手段と、前記記憶手段に格納された累積課金額情報の累積課金額が、予め設定された基準金額に達したか否かを判定する判定手段と、を有することを特徴とする。
【００１５】
更に、本発明の携帯電話機は、前記判定手段の判定で、予め設定された基準金額に達したと判定された場合に、前記累積課金額情報の送信先情報を表示手段に表示させる手段を有することを特徴とする。
【００１６】
また、本発明の携帯電話機は、前記判定手段の判定で、予め設定された基準金額に達したと判定された場合に、前記累積課金額情報を予め設定された送信先に送信させる手段を有することを特徴とする。
【発明の効果】
【００１７】
本発明の携帯電話機を利用した課金システムは、広告媒体に表示されたコード表示を携帯電話機で読み取ることで所定の金額の寄付を行う場合に、その一回の寄付金の額が小額であっても、予め設定された基準金額に達するまで累積課金額として携帯電話機の記憶手段に記憶させることができ、ネットワークを利用して寄付金額の情報を送信する際でも、通信料金代よりも高額の寄付としてまとめて行うことができ、ネットワークを利用する際に通信料金代で寄付金額がなくなってしまうという矛盾が生じることがなく、また閲覧者自身も寄付を行うことで社会貢献をしたという満足感を満たすこともできるという効果がある。
【００１８】
また、本発明の携帯電話機を利用した課金システムは、累積課金額が予め設定された基準金額に達した場合に、その累積課金額情報の送信先情報を表示手段に表示させるので、表示された送信先情報をクリックするなどして簡単に寄付の処理を行うことができるという効果がある。
【００１９】
更に、本発明の携帯電話機を利用した課金システムは、累積課金額が予め設定された基準金額に達した場合に、その累積課金額情報を予め設定された送信先に送信することができるので簡単に寄付の処理を行うことができるという効果がある。
【００２０】
また、本発明の携帯電話機を利用した課金方法は、その一回の寄付金の額が小額であっても、予め設定された基準金額に達するまで累積課金額として携帯電話機の記憶手段に記憶させておくことができるので、ネットワークを利用する際の通信料金代で寄付金額がなくなってしまうという矛盾が生じることがなく、また閲覧者自身も寄付を行うことで社会貢献をしたという満足感を満たすこともできるという効果がある。
【００２１】
更に、本発明の携帯電話機は、コード読取手段で読み取ったコード表示の読み取り回数毎に、課金額を累積した累積課金額情報を記憶手段に格納する累積課金額情報格納手段と、累積課金額情報の累積課金額が、予め設定された基準金額に達したか否かを判定する判定手段とを有しているので、ネットワークを利用してまとまった金額の寄付情報を送信することができ、通信料金代で寄付金額がなくなってしまうという矛盾が生じることがなく、また閲覧者自身も寄付を行うことで社会貢献をしたという満足感を満たすこともできるという効果がある。
【発明を実施するための最良の形態】
【００２２】
以下、本発明の実施形態に係る携帯電話機を利用した課金システム、携帯電話機を利用した課金方法、及び携帯電話機について、図面に基づいて詳細に説明する。
図１は、本発明の実施形態に係る携帯電話機を利用した課金システムの概要構成を説明する図、図２は、本発明の実施形態に係る携帯電話機のシステム構成図、図３は、本発明の実施形態に係る携帯電話機を利用した課金システムの処理の流れを説明する図、図４は、本発明の実施形態に係る携帯電話機を利用した課金システムの処理手順を説明するフローチャートである。
【００２３】
図１に示すように、新聞チラシなどの広告媒体１には、ＵＲＬ及び金額情報がコード化されたＱＲコードなどの二次元コードからなるコード表示２が施されている。
また、広告媒体１には、広告主側が宣伝広告を行いたいと所望する広告情報が印刷されていると共に、広告媒体１の閲覧者に対して募金への参加を呼びかけるための告知情報として、募金活動内容や募金方法などの説明文が印刷されている。
例えば、これら募金関係の告知情報として、「募金に参加していただける方は、広告媒体１のコード表示２を携帯電話機３のコード読取機能を利用して読み取って下さい。」という説明文を印刷しておくなどして、広告媒体１の閲覧者に対して、募金を行う場合に携帯電話機３でコード表示２を読み取ればよいことを知らせることができるようにしてある。
【００２４】
広告媒体１に施されているコード表示２の二次元コードは、ＵＲＬ及び金額情報が含まれているので、携帯電話機３でコード表示２の読み取りを行うことで、インターネットを介してそのＵＲＬのホームページにアクセスすることができるようにしてある。
また、上記の金額情報は、広告媒体１の閲覧者が募金する金額を任意に定めることができる情報である。
例えば、広告主側と広告媒体１の閲覧者側が共同で募金を行う場合に、１回のアクセスで寄付金１円の募金を行う際に、企業側の負担金額を０．７円分、閲覧者側の負担金額を０．３円分の割合として寄付するように設定されているとすると、コード表示２の金額情報として０．３円分が設定されていることになる。
つまり、この場合は、ワンクリック募金の１回分につき０．３円を閲覧者が募金することになる。
これらの金額情報の金額は、任意にその金額を設定すればよいもので、企業側の負担金額と、閲覧者側の負担金額との割合をどの程度とするのかについても自由に設定できるものであり上記の事例に限定されるものではない。
【００２５】
次に、図２に示すように、携帯電話機３には、表示手段３１、マイク３２、通信手段３３、電源部３４、コード読取手段３５、スピーカ３６、操作手段３７、記憶手段３８、累積課金情報格納手段３９、判定手段４０、制御手段４１などが備えられている。
携帯電話機３は、予め通信ネットワーク７を介してサイトから専用アプリケーションプログラムのダウンロードを記憶手段３８に行うことで、募金に関係する種々の処理が、そのプログラムに基づいて受けられるようにシステム化されている。
また、コード読取手段３５は、広告媒体１に表示されているＱＲコードなどの二次元コードからなるコード表示２の読み取りを行う機能を有している。
【００２６】
累積課金額情報格納手段３９は、コード読取手段３５で読み取ったコード表示２の読み取り回数毎に、コード表示２にコード化されている金額情報に基づく課金額を累積した累積課金額情報を記憶手段３８に格納させる機能を有している。
また、判定手段４０は、記憶手段３８に格納された累積課金額情報の累積課金額が、予め設定された基準金額に達したか否かを判定する機能を有している。
【００２７】
そして、判定手段４０の判定で、予め設定された基準金額に達したと判定された場合の後の処理としては、プログラムに設定された処理が行われる。
これらの処理としては、基準金額に達したと判定された際に、累積課金額情報の送信先情報を表示手段３１に表示させて、所定の表示部をクリックすることで送信する場合と、また、判定手段４０の判定で、予め設定された基準金額に達したと判定された際に、累積課金額情報を予め設定された送信先に自動的に送信させる場合とがある。
上記の送信先情報を表示手段３１に表示させる手段や、累積課金額情報を予め設定された送信先に自動的に送信させる手段は、記憶手段３８にダウンロードされた専用アプリケーションプログラムに基づいて制御される。
【００２８】
例えば、コード表示２にコード化されている金額情報に基づく課金額が０．３円で、また、予め設定された基準金額が３００円であるとした場合には、携帯電話機３のコード読取手段３５でコード表示２を読み取り通信ネットワーク７を介して募金の申込みを行う回数毎に０．３円分が記憶手段３８に累積され、判定手段４０でその累積課金額が基準金額である３００円に達したと判定された際に、３００円に達したことを示す情報を表示手段３１に表示させ、更に送信指示の操作を行うことで通信ネットワーク７を介して募金の申込みを行う。
または、他の処理方法としては、３００円に達した際に、自動的に通信ネットワーク７を介して３００円分の募金情報が募金の申込先に送信できるようにプログラムすることもできる。
【００２９】
、
次に、図１に基づいて募金を行う際にシステム構成を説明すると、携帯電話機３は、順番に、基地局４、携帯電話通信網５、交換局６、通信ネットワーク７とを介してクリック募金専用サーバ８や電話会社管理サーバ９と通信可能に接続されている。
クリック募金専用サーバ８には、募金先団体情報データベース１０や協賛企業情報データベース１１が備えられ、それらのデータベースに募金先団体情報や協賛企業情報が登録されている。
また、電話会社管理サーバ９には、携帯電話の契約者の住所、氏名、電話番号などの顧客情報が顧客情報データベース１２に登録されていると共に、毎月の電話利用料金情報も随時に顧客情報データベース１２に蓄積され、毎月ごとの利用料金の請求書発行もこれらの情報に基づいて行われ、郵送で請求書が利用者に送られることになる。
【００３０】
クリック募金専用サーバ８は、主に広告媒体１の閲覧者からの募金申込情報に基づいて、募金先団体への募金を行う処理を行う。
また、電話会社管理サーバ９は、主に広告媒体１の閲覧者からの募金申込情報に基づいて、募金額の支払請求を電話利用料金の請求処理の際に行うことで、電話利用料金の支払処理に関係させて閲覧者が募金の支払いを行えるようにしてある。
【００３１】
次に、図３（ａ）〜（ｅ）に基づき携帯電話機３での処理の流れについて説明する。
携帯電話機３を利用して募金を行う場合には、図３（ａ）に示すように、予め通信ネットワーク７を介してサイトから専用アプリケーションプログラムのダウンロードを記憶手段３８に行う。
次に、図３（ｂ）に示すように、携帯電話機３にダウンロードさせた専用アプリケーションプログラムの起動を行わせることで、携帯電話機３の表示手段３１に選択メニューが表示される。
【００３２】
そして、図３（ｃ）に示すように、広告媒体１に施されているコード表示２の読み取りを行う場合には、表示された選択メニューの中から「バーコードリーダ起動」の表示部分のクリックを行いバーコードリーダの起動をさせる。
次に、図３（ｄ）に示すように、携帯電話機３のコード読取手段３５により広告媒体１に施されているコード表示２に合わせて、コード表示２のコード読み取りを行わせる。
【００３３】
携帯電話機３がコード表示２のコード読み取りを行うことで、コード表示２に含まれているＵＲＬ及び金額情報に基づく情報が表示手段に表示される。
これらの表示には、所定の部分をクリックすることで、所定の金額の募金が行われることになる旨の情報が表示される。
そして、閲覧者がその募金に賛同する場合には、所定の部分のクリックを行う。
これにより、通信ネットワーク７を介して、それらの情報がクリック募金専用サーバへと送信される。
【００３４】
上記の処理の場合には、携帯電話機３がコード表示２のコード読み取りを行うことで、コード表示２に含まれているＵＲＬ及び金額情報に基づく情報として、表示の所定部分をクリックすることで、所定の金額の募金が行われることになる旨の情報が表示手段に表示されるが、他の方法として、上記表示の所定部分をクリックすることで、直ぐに、通信ネットワーク７を介して募金情報をクリック募金専用サーバへ送信するようにプログラムにより設定させることもできる。
【００３５】
上記のように、本発明の携帯電話機を利用した課金方法では、携帯電話機３を用いて、広告媒体１に施されたコード表示２の読み取りを行う毎に、予め設定された課金額を累積した累積課金額情報を記憶手段３８に格納させ、その累積課金額が、予め設定された基準金額に達した場合に、その累積金額情報を一括して所定のサイトに送信できるようにしてある。
【００３６】
そして、募金の際の処理手順としては、次のようになる。
まず、携帯電話機３のコード読取手段３５で、広告媒体１に施されたＵＲＬ及び金額情報がコード化されたコード表示２を読み取る。（ステップＳ１）
次に、携帯電話機３でコード表示２を読み取る毎に、コード表示２にコード化されている金額情報に基づく課金額を記憶手段３５に累積させて累積課金額情報として格納させる。（ステップＳ２）
【００３７】
更に、記憶手段３５に格納された累積課金額情報の累積課金額が、予め記憶手段３５に登録されている基準金額に達したか否かを判定する。（ステップＳ３）
そして、基準金額に達したと判定された場合に、その累積課金額情報の送信先情報を携帯電話機３の表示手段３１に表示させる。（ステップＳ４）
次に、募金する場合に、送信先情報が表示された所定部分をクリックすることで、累積課金額情報を寄付金額とする募金申込情報がクリック募金専用サーバへと送信される。（ステップＳ５）
【００３８】
そして、クリック募金専用サーバ８から電話会社管理サーバ９に対して、募金申込情報を受信した旨の情報の送信を行なう。（ステップＳ６）
次に、電話会社管理サーバ９により電話利用料金の請求書の発行を行う際に、クリック募金専用サーバ８から受信した募金申込情報の募金額を請求書にプリントして請求を行う。（ステップＳ７）
そして、電話会社は、クリック募金管理団体に対して募金申込者に代わって募金金額の支払いを行う。（ステップＳ８）
以上の処理により、広告媒体１の閲覧者による募金が行えるようにしてある。
【００３９】
尚、クリック募金専用サーバが募金申込情報を受信した場合に、募金申込者からの募金と、募金申込者が指定した募金協力企業からの募金とを合わせて募金することで、募金協力企業のワンクリック募金により、新聞チラシなどの広告媒体１に広告を掲載する企業と、広告媒体１の閲覧者とが協力して募金を行えるようにしてある。
【図面の簡単な説明】
【００４０】
【図１】本発明の実施形態に係る携帯電話機を利用した課金システムの概要構成を説明する図である。
【図２】本発明の実施形態に係る携帯電話機のシステム構成図である。
【図３】本発明の実施形態に係る携帯電話機を利用した課金システムの処理の流れを説明する図である。
【図４】本発明の実施形態に係る携帯電話機を利用した課金システムの処理手順を説明するフローチャートである。
【符号の説明】
【００４１】
１  広告媒体
２  コード表示
３  携帯電話機
４  基地局
５  携帯電話通信網
６  交換局
７  通信ネットワーク
８  クリック募金専用サーバ
９  電話会社管理サーバ
１０  募金先団体情報データベース
１１  協賛企業情報データベース
１２  顧客情報データベース
３１  表示手段
３２  マイク
３３  通信手段
３４  電源部
３５  コード読取手段
３６  スピーカ
３７  操作手段
３８  記憶手段
３９  累積課金情報格納手段
４０  判定手段
４１  制御手段
【図１】
0004713376.tif 000002
【図２】
0004713376.tif 000003
【図３】
0004713376.tif 000004
【図４】
0004713376.tif 000005